(57)【要約】【課題】表面からは単色画像として視認できるが、印刷面に圧力を加えることにより目視では視認が困難な文字や絵柄を正面から視認可能となる微細線と圧力発光を組み合わせた偽造防止機能を有した印刷物を提供すること。【解決手段】印刷基材の少なくとも片面にインキにより形成された印刷部を有する印刷物であって、前記印刷部は少なくとも圧力発光インキと圧力無発光インキを含む２種類以上のインキにより形成された微細印刷線の組合せで構成され、微細印刷線は少なくとも、圧力発光インキで形成された圧力発光微細印刷線と、圧力無発光インキで形成された圧力無発光微細印刷線を含み、該印刷物に圧力を加えた時のみ圧力発光微細印刷線が発光して発色することにより、視認される印刷部の画像が変化することを特徴とする印刷物。【選択図】図３
2020168773.tif 000002
【特許請求の範囲】
【請求項１】
印刷基材の少なくとも片面にインキにより形成された印刷部を有する印刷物であって、
前記印刷部は少なくとも圧力発光インキと圧力無発光インキを含む２種類以上のインキにより形成された微細印刷線の組合せで構成され、
微細印刷線は少なくとも、圧力発光インキで形成された圧力発光微細印刷線と、圧力無発光インキで形成された圧力無発光微細印刷線を含み、
該印刷物に圧力を加えた時のみ圧力発光微細印刷線が発光することにより、視認される印刷部の画像が変化することを特徴とする印刷物。
【請求項２】
前記印刷部の微細印刷線は、線幅が１００μｍ以下である複数の線の組合せで構成されることを特徴とする請求項１に記載の印刷物。
【請求項３】
前記印刷部を構成する複数の微細印刷線が、前記印刷部を形成する領域内に、予め設定した特定の配線パターンで配置されていることを特徴とする請求項１又は請求項２に記載の印刷物。
【請求項４】
前記特定の配線パターンは、一方向に向けて線を配列したパターン、同心状に線を配置したパターン、格子状に線を配置したパターン、及び放射状に線を配置したパターンのうち少なくとも１つのパターンから構成されることを特徴とする請求項３に記載の印刷物。
【請求項５】
前記特定の配線パターンは、圧力発光微細印刷線と圧力無発光微細印刷線を積層もしくは離間して配置させることで、加圧時に前記特定の配線パターンの画像を視認することが可能となることを特徴とする請求項３または４に記載の印刷物。
【請求項６】
単位面積当たりに配置する前記複数の微細印刷線の線幅の調整によって、前記印刷部の色の濃淡表現が調整されていることを特徴とする請求項１〜５のいずれか１項に記載の印刷物。
【請求項７】
前記複数の微細印刷線の少なくとも一部の線は、前記印刷基材の表面に対し０．１μｍ以上の高さを有する凸構造を備えていることを特徴とする請求項１〜６のいずれか１項に記載の印刷物。
【請求項８】
前記凸構造を備える微細印刷線を複数有し、それらの線のうち少なくとも一部の線は、前記インキを複数種類積層した多層構造となっていることを特徴とする請求項１〜７のいずれか１項に記載の印刷物。
【請求項９】
前記凸構造を備える線を複数有し、その凸構造を備えた複数の線のうち少なくとも一部の線は、前記線の延在方向と直交する方向の断面の上部に傾斜面を形成する傾斜部を有することを特徴とする請求項１から請求項８のいずれか１項に記載の印刷物。
【請求項１０】
前記特定の配線パターンが、前記印刷基材の片面もしくは表裏面において同一平面上に形成、または積層されていることを特徴とする請求項３〜９のいずれか１項に記載の印刷物。
【請求項１１】
前記複数の微細印刷線の表面が、透明な樹脂もしくは透明基材で覆われていることを特徴とする請求項１〜１０のいずれか１項に記載の印刷物。
【請求項１２】
請求項１〜１１のいずれか１項に記載の印刷物を形成するための凹版印刷用の印刷版であって、前記印刷版に形成された複数の溝の少なくとも一部の溝が、他の溝に対し溝の幅もしくは深さが異なることを特徴とする印刷版。
【請求項１３】
請求項１〜１１のいずれか１項に記載の印刷物を製造する方法であって、
凹版印刷用の印刷版として母材表面の一部に幅が１００μｍ以下である複数の線状の溝が形成された複数の印刷版を使用し、前記印刷基材の表面に順次凹版印刷を行うことでインキを転写して前記印刷部を形成し、
前記複数の印刷版のうちの少なくとも一つの印刷版に形成された溝が、他の印刷版に形成された溝に比べて溝の幅もしくは深さが異なることを特徴とする印刷物の製造方法。
【発明の詳細な説明】
【技術分野】
【０００１】
本発明は、光の干渉および回折により画像を表示する凹凸パターンと微細線を利用した印刷物、印刷版に関し、広告用の印刷物、玩具・容器包装などに展開可能な技術に関する。
【背景技術】
【０００２】
クレジットカードや認証書類、有価証券類、紙幣などの一部または前面に形成される印刷物は、物品の偽造が困難であることが求められる。こうした印刷物の偽造を困難にする技術として、たとえば特許文献１に示す様な、ホログラムや回折格子、または見る角度により色の変化を生じる多層膜のようなＯＶＤ（Optically  Variable Device：光学的変化素子）媒体がある。
【０００３】
またホログラムや回折格子とは異なる微細技術として、線の集合により形成される線画がある。この線画とは、５０μｍ以下の線で画像を表現することにより、ドットにより画像を表現するインクジェットを主とした従来の複写機では困難な、微細な直線が形成できることから、紙幣を中心に真贋判定に用いられている手法である。
【０００４】
この線画の形成方法として、例えばグラビアオフセット印刷法がある。グラビアオフセット印刷法では、凹部にインキが充填された印刷版から、ブランケットにインキを転移させ、そのブランケット上のインキを印刷基材上に転写することで印刷が行われる。
【０００５】
例えば、特許文献２には、配線構造を有するタッチパネル用導電性部材の製造方法における、額縁部分へのパターン化された配線構造を印刷する方法として、グラビアオフセット印刷法を用いることが開示されている。
【先行技術文献】
【特許文献】
【０００６】
【特許文献１】特表２００８−５４７０４０号公報
【特許文献２】特開２０１１−２１０１４８号公報
【発明の概要】
【発明が解決しようとする課題】
【０００７】
しかしながら、上記のような技術も一般化するにつれて偽造されるリスクが増しており、偽造防止技術としては、より困難であり且つ製造コストが上がらない技術が求められていた。
【０００８】
そのため、ホログラムや微細配線等の技術を用いて、偽造が困難である仕様構成を備える印刷物を実現することを目的として日々開発が行なわれているが、製造技術の多様化と共に、それぞれ単独の印刷物でこの目的を満足できるような偽造防止機能を発現させることは難しい。
【０００９】
本発明はこのような問題点を鑑みてなされたものであり、その目的は、表面からは単色画像として視認できるが、印刷面に圧力を加えることにより目視では視認が困難な文字や絵柄を正面から視認可能となる微細線と圧力発光を組み合わせた偽造防止機能を有した印刷物を提供することである。
【課題を解決するための手段】
【００１０】
上記課題を解決するために、本発明の第１の態様は、
印刷基材の少なくとも片面にインキにより形成された印刷部を有する印刷物であって、
前記印刷部は少なくとも圧力発光インキと圧力無発光インキを含む２種類以上のインキにより形成された微細印刷線の組合せで構成され、
微細印刷線は少なくとも、圧力発光インキで形成された圧力発光微細印刷線と、圧力無発光インキで形成された圧力無発光微細印刷線を含み、
該印刷物に圧力を加えた時のみ圧力発光微細印刷線が発光することにより、視認される印刷部の画像が変化することを特徴とする印刷物である。
【００１１】
本発明の第２の態様としては、
前記印刷部の微細印刷線は、線幅が１００μｍ以下である複数の線の組合せで構成されることを特徴とする印刷物である。
【００１２】
本発明の第３の態様としては、
前記印刷部を構成する複数の微細印刷線が、前記印刷部を形成する領域内に、予め設定した特定の配線パターンで配置されていることを特徴とする印刷物である。
【００１３】
本発明の第４の態様としては、
前記特定の配線パターンは、一方向に向けて線を配列したパターン、同心状に線を配置したパターン、格子状に線を配置したパターン、及び放射状に線を配置したパターンのうち少なくとも１つのパターンから構成されることを特徴とする印刷物である。
【００１４】
本発明の第５の態様としては、
前記特定の配線パターンは、圧力発光微細印刷線と圧力無発光微細印刷線を積層もしくは離間して配置させることで、加圧時に前記特定の配線パターンの画像を視認することが可能となることを特徴とする印刷物である。
【００１５】
本発明の第６の態様としては、
単位面積当たりに配置する前記複数の微細印刷線の線幅の調整によって、前記印刷部の色の濃淡表現が調整されていることを特徴とする印刷物である。
【００１６】
本発明の第７の態様としては、
前記複数の微細印刷線の少なくとも一部の線は、前記印刷基材の表面に対し０．１μｍ以上の高さを有する凸構造を備えていることを特徴とする印刷物である。
【００１７】
本発明の第８の態様としては、
前記凸構造を備える微細印刷線を複数有し、それらの線のうち少なくとも一部の線は、前記インキを複数種類積層した多層構造となっていることを特徴とする印刷物である。
【００１８】
本発明の第９の態様としては、
前記凸構造を備える線を複数有し、その凸構造を備えた複数の線のうち少なくとも一部の線は、前記線の延在方向と直交する方向の断面の上部に傾斜面を形成する傾斜部を有することを特徴とする印刷物である。
【００１９】
本発明の第１０の態様としては、
前記特定の配線パターンが、前記印刷基材の片面もしくは表裏面において同一平面上に形成、または積層されていることを特徴とする印刷物である。
【００２０】
本発明の第１１の態様としては、
前記複数の微細印刷線の表面が、透明な樹脂もしくは透明基材で覆われていることを特徴
とする印刷物である。
【００２１】
本発明の第１２の態様としては、
前記印刷物を形成するための凹版印刷用の印刷版であって、前記印刷版に形成された複数の溝の少なくとも一部の溝が、他の溝に対し溝の幅もしくは深さが異なることを特徴とする印刷版である。
【００２２】
本発明の第１３の態様としては、
前記印刷物を製造する方法であって、
凹版印刷用の印刷版として母材表面の一部に幅が１００μｍ以下である複数の線状の溝が形成された複数の印刷版を使用し、前記印刷基材の表面に順次凹版印刷を行うことでインキを転写して前記印刷部を形成し、
前記複数の印刷版のうちの少なくとも一つの印刷版に形成された溝が、他の印刷版に形成された溝に比べて溝の幅もしくは深さが異なることを特徴とする印刷物の製造方法である。
【発明の効果】
【００２３】
本発明のいずれか一つの態様によれば、複数の凹版と圧力発光インキと圧力無発光インキを用いてアライメントを合わせて印刷を行うことで、圧力を加えた時のみ視認可能な絵柄模様などの印刷表現を形成できる。また、絵柄模様の上部にホログラムや回折格子のようなＯＶＤ媒体を貼り合わせる、もしくは積層することにより、２重の偽造防止効果を得ることが可能となる。
【図面の簡単な説明】
【００２４】
【図１】本発明に基づく実施形態に係る印刷物を説明する概念図である。
【図２】本発明に基づく実施形態に係る印刷物を説明する概念図である。
【図３】本発明に基づく実施形態に係る印刷物を説明する概念図である。
【図４】本発明に基づく印刷物の層構成を説明する断面図である。
【図５】本発明に基づく印刷物の層構成を説明する断面図である。
【図６】本発明に基づく印刷物の層構成を説明する断面図である。
【図７】本発明に基づく印刷物の層構成を説明する断面図である。
【図８】グラビアオフセット印刷用の印刷機の概念図である。
【図９】印刷版母材の例を説明する概念図である。
【発明を実施するための形態】
【００２５】
以下、本発明の一実施形態について図面を適宜参照して説明する。
ここで、図面は模式的なものであり、厚みと平面寸法との関係、各層の厚みの比率等は現実のものとは異なる。また、以下に示す実施形態は、本発明の技術的思想を具体化するための構成を例示するものであって、本発明の技術的思想は、構成部品の材質、形状、構造等が下記のものに特定されるものではない。本発明の技術的思想は、特許請求の範囲に記載された請求項が規定する技術的範囲内において、種々の変更を加えることができる。
【００２６】
（印刷物の実施形態）
まず本発明に係る印刷物の一実施形態の層構成について説明する。
図４に示すように本実施形態の印刷物１は、印刷基材２の表面の一部に、圧力発光インキにより形成される圧力発光微細印刷線４と圧力無発光インキにより形成される圧力発光微細印刷線５とを含む微細印刷線３から構成される。
圧力発光インキとは、圧力を加えると発光する性質を有する圧力発光性材料を含むインキである。また圧力無発光インキとは、圧力発光性材料を含まないインキである。圧力発光インキの材料について、詳しくは後述する。
【００２７】
図４に示すように、圧力発光微細印刷線４は圧力無発光微細印刷線５の下部、もしくは一定の間隙を持って配置されている圧力無発光微細印刷線５の間隙部に配置されている。
これらの微細印刷線３を構成する印刷表示は、光源が無い状態においては必ずしも明確な柄などの模様が視認可能なように構成されている必要はない。本発明に係る微細印刷線３は、印刷基材２上に２つ以上配置されていてもよい。
【００２８】
本実施形態の印刷物１は、印刷基材２と微細印刷線３（即ち圧力発光微細印刷線４と圧力無発光微細印刷線５）を合わせた総厚さが、例えば５．０μｍ以上５００．０μｍの範囲の厚さとする。
このうち微細印刷線３の厚さは、０．１μｍ以上あればよい。本発明において、微細印刷線３はインキを重ねて印刷する必要がないという特徴を有するので、従来の印刷線より薄くてもよい。
【００２９】
なお、印刷基材２上には、本発明に係る微細印刷線３以外の印刷部分を有していてもよい。また、本発明に係る微細印刷線３以外の印刷部分の一部として、本発明に係る圧力発光微細印刷線４が配置されていてもよい。
【００３０】
本実施形態では、絵柄その他の印刷表示からなる印刷物１は、例えば図４に示すように、圧力発光微細印刷線４と圧力無発光微細印刷線５の複数本を組み合わせて構成される。
【００３１】
本発明に係る圧力発光微細印刷線４と圧力無発光微細印刷線５は、目視では視認不可能な間隙を有し、例えば線幅が１００μｍ以下の微細印刷線からなることが好ましい。
この場合、微細印刷線３は複数の線から成り、複数の線は線間隔が１００μｍ以下からなるよう幾つかの線幅の線の組合せで構成されている。
【００３２】
線間隔が１００μｍ以上の場合には、圧力の有無に係らず微細印刷線が肉眼で視認されやすくなってしまい、圧力の有無による視認画像の切り替えが意味を成さない。
【００３３】
またこのとき、インキには圧力発光インキが未発光状態の色と、圧力無発光インキの色を同一にして構成することで、圧力の有無によってＡ面から圧力発光微細印刷線４と圧力無発光微細印刷線５のどちらかが視認できる。
そのため、図１に示すように、圧力が無い場合にＡ面から視認した場合、Ａ面に形成された圧力発光微細印刷線４と圧力無発光微細印刷線５からなる第１画像が視認可能となる。
【００３４】
図２に示すように、Ａ面およびＢ面から加圧用透明材７および８にて印刷物１を挟み込み、Ａ面およびＢ面から矢印で示す圧力を加えて印刷物１を加圧した場合に、図３に示すように第２画像が視認可能となる。この第２画像の領域には圧力発光微細印刷線４が設けられており、加圧によって圧力発光微細印刷線４に含まれる圧力発光インキが発光し、視認可能となったものである。またこのとき、圧力無発光微細印刷線５は加圧によっても特に変化しない。
なお、図３の断面部位Ｃ−Ｃ‘における断面の一部領域が、図４に示されており、圧力発光微細印刷線４の上に圧力無発光微細印刷線５が積層されている様子がわかる。
【００３５】
しかし、圧力が無い状態で圧力発光インキが未発光状態の色と圧力無発光のインキの色が異なると、それぞれのインキの反射光の違いから圧力発光微細印刷線４と圧力無発光微細印刷線５のどちらかが視認できてしまい、圧力の有無による視認画像の切り替えが意味を成さない。
【００３６】
本実施形態における印刷物１は単独で存在しているが、その上下面若しくは同一平面にホログラムや回折格子、または見る角度により色の変化を生じる多層膜のようなＯＶＤ（Optically  Variable Device：光学的変化素子）媒体が形成されていてもよい。
【００３７】
（印刷基材）
印刷基材２は、シート状の材料に限られず、中空又は中実のいずれでもよく、また、任意の平面又は曲面を、微細印刷線３を形成する印刷面とすることができる。
【００３８】
印刷基材２の材質としては、例えば、ソーダ石灰ガラス、低アルカリ硼珪酸ガラス、無アルカリアルミノ硼珪酸ガラスなどのガラス板、あるいはポリエチレンテレフタレート（ＰＥＴ）、トリアセチルセルロース（ＴＡＣ）、ポリメチルメタクリレート（ＰＭＭＡ）、ポリカーボネート（ＰＣ）などからなるプラスチック板、プラスチックフィルムの他、クリーンペーパーやコート紙、カレンダー紙等の当該分野で知られている加工紙、ポリアクリル酸ナトリウムやポリビニルアルコール、ポリエチレンオキシド等の当該分野で知られている水溶性ポリマー、ポリ乳酸、ポリグリコール酸、ポリカプロラクトン等の当該分野で知られている生体適応性ポリマー、などを用いることが可能である。
【００３９】
（圧力発光インキ）
圧力発光インキの発色顔料としては、擦る、潰す、押す等の機械的、力学的な刺激を加えることで分子構造や結晶構造が変化し発光するメカノクロミック材料を使用することができる。
【００４０】
圧力発光インキにはこのメカノクロミック材料の他に、公知の有機および無機顔料を組み合わせて使用してもよい。
【００４１】
また、圧力無発光インキの発色顔料としては、当該分野で知られている有機および無機顔料を組み合わせて使用することができる。
【００４２】
無機顔料としては、金属粒子の他、二酸化チタン、亜鉛華、鉄黒に代表される酸化物の他、水酸化物、硫化物、セレン化物、フェロシアン化物、クロム酸塩、硫酸塩、炭酸塩、ケイ酸塩、燐酸塩、炭素等がある。有機顔料としては、炭素化合物の他、ニトロソ系、ニトロ系、アゾ系、レーキ系、フタロシアニン系、縮合多環材料等がある。
【００４３】
これら視認性を目的とした顔料に対し、導電性を目的として金属微粒子や導電性金属酸化物微粒子あるいは金属ナノワイヤや金属塩化物、導電性ポリアニリン、導電性ポリプロピロール、導電性ポリチオフェン（ポリエチレンジオキシチオフェンとポリスチレンスルホン酸の錯体）などの導電性ポリマー等を混合して利用してもよい。
【００４４】
インキには、光散乱粒子が混入されていてもよい。すなわち、光散乱粒子は、印刷物１を構成する異なる色相のインキのいずれかに入っていても、積層した複数の層のうちいずれかに含んでいてもよい。インキに混入させる光散乱粒子としては、真球形状粒子、または、不定型形状粒子が用いられる。また、光散乱粒子の材料としては、無機微粒子、または、有機微粒子からなる粒子を用いる。
【００４５】
具体例としては、アクリル系粒子、スチレン粒子、スチレンアクリル粒子及びその架橋体や、メラミン‐ホルマリン縮合物の粒子、ポリウレタン系粒子、ポリエステル系粒子、シリコン系粒子、フッ素系粒子、エポキシ粒子及びこれらの共重合体、スメクタイト、カオリナイト、タルク等の粘土化合物粒子、シリカ、酸化チタン、アルミナ、シリカアルミナ、ジルコニア、酸化亜鉛、酸化バリウム、酸化ストロンチウム等の無機酸化物粒子、炭酸カルシウム、炭酸バリウム、炭酸マグネシウム、塩化バリウム、硫酸バリウム、硝酸バ
リウム、水酸化バリウム、水酸化アルミニウム、炭酸ストロンチウム、塩化ストロンチウム、硫酸ストロンチウム、硝酸ストロンチウム、水酸化ストロンチウム、ガラス粒子等の無機微粒子を挙げることができる。
【００４６】
これらの高い屈折率を有する透明な粒子は、一種類の粒子だけを混合して使用してもよいし、複数種類を混ぜて使用してもよい。また、無機微粒子や有機粒子の表面に塗工や蒸着等によって表面加工を施したものを、一種類で使用してもよいし、複数種類を混ぜて使用してもよい。すなわち、混入する光散乱粒子には、異なる屈折率を有する少なくとも二つの光散乱粒子を含んでもよい。
【００４７】
なお、混入する光散乱粒子には、異なる屈折率を有する光散乱粒子の代わりに、異なるヘイズ値を有する２つ以上の光散乱粒子を含んでもよい。なお、光散乱粒子を混入する代わりに、線を構成した状態のインキが空気を含む微細な空洞を含有するようにしてもよい。例えば、印刷するインキの材料中に発泡剤を含有させておき、その発泡剤を発泡させて、空洞を形成する。
【００４８】
これらの視認性を目的とした顔料に対し、導電性を目的として金属微粒子や導電性金属酸化物微粒子、あるいは金属ナノワイヤや金属塩化物、導電性ポリアニリン、導電性ポリプロピロール、導電性ポリチオフェン（ポリエチレンジオキシチオフェンとポリスチレンスルホン酸の錯体）などの導電性ポリマー等を混合して利用してもよい。
【００４９】
インキ中の溶剤としては、例えばドデカン、テトラデカンを使用する。インキ中の溶剤は任意のものを用いることができる。例えば、速乾性インキでは、常温で乾燥する沸点の低い溶剤（ＭＥＫ、エタノール、アセトンなど）を、水性インキでは水（精製水）を、オイル系インキでは常温で蒸発しないオイル（脂肪族炭化水素、グリコールエーテル、高級アルコールなど）を用いることが可能である。なお、溶剤の種類に応じて、その溶剤に対し吸収性を有するブランケット１１（図８）の材料を選択することが好ましい。
【００５０】
上記の顔料および粒子以外のインキ材料として用いる樹脂材料は、透明樹脂や、色付きの樹脂、あるいは、不透明な樹脂を用いても良い。すなわち、例えば、ポリカーボネート樹脂、アクリル系樹脂、フッ素系アクリル樹脂、シリコン系アクリル樹脂、エポキシアクリレート樹脂、ポリスチレン樹脂、アクリロニトリルスチレン樹脂、シクロオレフィンポリマー、メチルスチレン樹脂、フルオレン樹脂、ＰＥＴ（ポリエチレンテレフタレート）、ポリプロピレン、フェノール樹脂、メラミン樹脂、ＰＥＮ（ポリエチレンナフタレート）、ＰＩ（ポリイミド）等の熱可塑性樹脂や熱硬化性樹脂等の汎用プラスチックを用いることが可能である。
【００５１】
ここで、熱可塑性樹脂としては、ＰＥＴ（ポリエチレンテレフタレート）、ＰＣ（ポリカーボネート）、ＰＳ（ポリスチレン）、ＣＯＣ（環状オレフィン・コポリマー）、ＰＭＭＡ（ポリメタクリル酸メチル（ポリメチルメタクリレート、アクリル樹脂））、ＣＯＰ（シクロオレフィンポリマー）、ＭＳ（メタクリル酸スチレン共重合体）、ＡＳ（アクリロニトリルスチレン共重合体）、ＰＭＭＡ（ポリメタクリル酸メチル（ポリメチルメタクリレート、アクリル樹脂））、ＰＥＮ（ポリエチレンナフタレート）、ＰＩ（ポリイミド）等などの熱可塑性樹脂を用いることが可能である。
【００５２】
また、熱硬化性樹脂としては、フェノール樹脂やメラミン樹脂、エポキシ樹脂、アルキド等の当該分野でよく知られている熱硬化性樹脂を用いることが可能である。また、前記以外にも、インキ材料として用いる樹脂材料として、ＰＢＴ（ポリブチレンテレフタレート）、ＰＯＭ（ポリオキシメチル）、ＰＡ（ポリアミド）、ＰＰＳ（ポリフェニルサルフィド）等のエンジニアプラスチックや、スーパーエンジニアプラスチックを用いることも可能である。この他にも電離放射線によって硬化するアクリルやウレタン、エポシキ、ポリエステル、チオール等の樹脂を用いることが可能である。
【００５３】
（微細印刷線の構成）
微細印刷線３は複数の線から成り、隣り合う線相互の線間の隙間が、その隙間を構成する２本の線のうちの線幅が狭い線側の線幅の５０倍以下になるように設定している。隙間を線幅の５０倍以下に設定することで、連続した色模様に視認可能となる。
なお、微細印刷線３は平行な線とは限らず、非平行な線であってもよく、線同士が交差していてもよい。交差することで、意匠的に特有の効果を奏することができる。
交差している場合、交差位置では当然に、間隔は「０」である。また交差位置では微細印刷線３が重なり合い、線の断面の上部は、線の重なりによる傾斜面が形成されている。
【００５４】
微細印刷線３は、凹版を用いて形成される。同一平面上に１つの凹版を用いて特定の配線パターンで配置してもよく、夫々異なる凹版のアライメントを合わせて印刷を行うことにより、特定の配線パターンで配置してもよい（図５）。尚、異なる凹版を用いて印刷を行う場合には、線間隔はあってもなくてもよい。
【００５５】
微細印刷線３を表現する複数の微細印刷線同士は、同一平面上に異なる凹版のアライメントを合わせて印刷を行うことにより積層して配置してもよい（図４）。この際、同一の凹版を用いて積層を行なう事により、特定の部位のみ嵩高く配置してもよい。
また、微細印刷線３を構成する印刷表現の色の濃淡は、複数の線を一方向に沿って並列して微細印刷線３を構成する場合、単位面積当たりに配置する線の線幅を変更することで、色の濃淡表現が調整される。
【００５６】
ここで、従来、網点で印刷を表現する場合、色の濃淡は、網点の大きさを変更することで濃淡を表現している。すなわち、単位面積当たりのインキの占有率（インキ面積）を変化させることで濃淡を表現している。
【００５７】
これに対し、本実施形態によれば、同じインキ面積であっても、線幅を変更することで濃淡を調整することが可能となる。例えば、１０μｍ幅の微細印刷線３を１０μｍ間隔で配列する代わりに、１００μｍ幅の微細印刷線３を１００μｍ間隔で配列した場合の方が、インキ面積（この例では面積率が５０％）は同じであっても、目視時における色の濃さ（色差計測定値）が濃くなる。
【００５８】
このように、本実施形態にあっては、インキ面積を変えることなく濃淡調整も可能となる。これによって、本実施形態では、色の濃淡調整の自由度が広がり、微細印刷であっても、より高精細な印刷表現が可能となる。
【００５９】
複数の微細印刷線３で構成する場合、複数の微細印刷線３を特定の配線パターンで配置して表現する。特定の配線パターンとは、例えば複数の微細印刷線を、所定の一方向に向けて配列させる、同心状に配置する、格子状に配置する、放射状に配置するなどのパターンが考えられる。もっとも、配線パターンの規則は、前記のパターンに限定されない。線幅が１００μｍ以下の微細印刷線の組合せであればランダムな配置など、どのような配線パターンであっても本願発明は適用可能である。
【００６０】
また、本実施形態の微細印刷線は、直線状に延在している必要はなく、蛇行など曲線状に延在していてもよい。又、印刷の際に、インキのかすれなどが発生する可能があるが、線幅の１．５倍以上の線長が有ればよい。
【００６１】
（印刷物の他の実施形態）
次に、印刷物１の他の実施形態における構成例を示す。
図４〜図７は、微細印刷線を配置した場合の断面図である。本発明の印刷物の実施形態としては、例えば図６の断面図で示すように、微細印刷線を配置した２つの印刷物を粘着剤６を介して配置してもよいし、図示しないが表裏面に圧力発光微細線４と圧力無発光微細印刷線５を配置した印刷物に粘着剤６を介して加圧用透明材を配置してもよい。
また、図７の断面図で示すように、２枚の基材の間に圧力発光微細線４と圧力無発光微細印刷線５を積層した構成としてもよい。
【００６２】
一体形成するための粘着剤としては、Ａ面もしくはＢ面のどちらかに酢酸ビニル等の粘着剤を塗工してもう片層とを一体接着する方法がある。
【００６３】
一体接着するために用いる粘着剤としては、酢酸ビニルの他、アクリル系、ウレタン系、ゴム系、シリコン系の粘着剤が挙げられる。いずれの場合も高温で使用されるため、１００℃で貯蔵弾性率Ｇ’が１．０×１０４Ｐａ以上であることが望ましい。これより値が低いと、使用中に樹脂層と基材がずれてしまう可能性がある。
【００６４】
粘着剤の中に屈折率の異なる有機粒子や無機粒子などの透明粒子等を混ぜても良く、粘着剤は両面テープ状のものでも良いし、単層のものでもよい。また、粘着剤はあらかじめシート状に加工したものを用いても良いし、基材シートの所望部材に直接塗布しても良い。粘着剤と隣接する面には、あらかじめコロナ処理を施しても良い。
【００６５】
接着剤又は粘着剤層を塗る方法として、押出し塗工でも、コンマコーター等の各種塗工装置、印刷方式、ディスペンサーやスプレーを用いる方法、または筆等を用いた手作業による塗工であってもよい。
【００６６】
図１に示す例の場合には、単純にするために、加圧させない場合にＡ面から視認した際の第１画像をストライプ、図３に加圧させた場合にＡ面から視認した際の第２画像を丸として例示しているが、これらに限定はされず、任意のデザインを施してよい。
【００６７】
また、一つの微細印刷線３を構成する複数の微細印刷線の高さにバラツキがあっても良く、恣意的に凸構造に構成するインキ１層の高さにバラツキを持たせる場合に、一部の線について、異なる色を２層以上積層して高くしてもよく、その断面形状として、半円形、三角形、矩形、台形などが例示できる。
【００６８】
このように、本発明の実施形態によれば、微細印刷線を組み合わせて色が連続して視認可能な絵柄模様などの印刷表現が形成可能となることで、高精細な微細印刷物１を得ることが可能となる。なお、印刷基材２は、平面的なシート状に限定されず、曲面を有するような玩具などの立体物であっても良く、その立体物が有する表面に微細印刷線３が形成されていてもよい。
【００６９】
以上のように、本実施形態の印刷物１に設けた微細印刷線３の表示は、予め設定した特定の配線パターンで配することにより、圧力の有無により線画の視認画像が変化する印刷物を作成することに好適であり、広告用の印刷物、玩具・容器包装などに高い意匠性を付与することが可能となる。
【００７０】
（印刷物の製造方法）
上述したような微細印刷線からなるインキの微小な盛り上がり（凸構造）を有する微細印刷線３は、例えば、グラビアオフセット印刷法による凹版印刷で印刷することで形成することが可能である。
なお、本発明において、微細印刷線３を構成する複数の微細印刷線の全部若しくは一部
が、凸構造である必要はなく、凸構造としない場合には、凸版印刷法で微細印刷線を印刷してもよい。
【００７１】
以下、本発明における印刷物の製造方法について、その一例を説明する。
【００７２】
図８に概念図を示すように、グラビアオフセット印刷用の印刷装置９は、凹版からなる印刷版１２と転写用のブランケット１１とを備えている。まず、印刷版１２は、母材表面の転写面に、印刷する微細印刷線に応じた凹部が形成され、その凹部にインキ１４が充填されると共に、ドクターブレード２２によって余分なインキが掻き取られる。次いで印刷版１２は、印刷版固定用定盤１５の上面に固定される。
【００７３】
ブランケット１１は、回転可能なブランケット胴１３の表面に固定されている。ブランケット胴１３は、回転可能に台車（不図示）に支持されており、台車は、架台上を移動可能に架台に支持されている。そして、ブランケット１１は、印刷版１２上を転動することで印刷版１２の印刷面の凹部から、その表面（印刷面）にインキ１４が転写され、さらに、転写されたインキ１４を、基材固定用定盤１６に固定された印刷基材２の表面（印刷面）に転写する。
【００７４】
ブランケット１１は、上述のように、インキの授受を行うことにより転写印刷を行う。ブランケット１１の表面、すなわち印刷面は、ゴム層からなる。このゴム層として用いられるゴム材料としては、ブランケットとして公知の各種の材料を用いることができる。これらのゴム材料は、インキ及びインキに用いられる溶剤の種類に対応して選択され、シリコンゴムなどの溶剤吸収性のあるものが好適である。ゴム層単独でブランケット１１とすることも可能であるが、ゴム層はベース基材の上に設けてもよい。
【００７５】
なお、ゴム材料からなるゴム層は、ベース基材上でゴム材料を硬化させることも、フィルム上のゴム材料をベース基材と貼り合わせることで設けることも可能である。ベース基材としては、印刷時にブランケット胴１３に取り付けられることから、例えば可撓性のあるフィルムや金属薄板で構成される。
【００７６】
ただし、ベース基材としては、コスト及び寸法安定性から、ポリエチレンテレフタレート（ＰＥＴ）などのポリエステル系フィルム、あるいはポリイミドフィルムが好適である。また、ベース基材とゴム層の間には、必要に応じてプライマー層や接着層が設けられる。また、ベース基材の下には必要に応じてクッション層が設けられる。クッション層としてはスポンジ状の材料を用いることができる。
ブランケット１１は、その幅方向の両端部を不図示の取付器具によって巻き締めることによって、略円筒形のブランケット胴１３に固定される。
【００７７】
印刷版１２は、詳細は後述するが、微細印刷線３を構成する配線パターンに対応する複数の溝（凹部）を銅版、ニッケル版などの金属版、あるいはガラス版に形成し、その表面にクロムめっきやカーボンめっきによる耐擦性皮膜を形成してなる。
また、耐摩擦性皮膜を形成した上表皮に対して、ダイヤモンドライクカーボン、フッ素系やシリコン系の撥油剤を塗工、もしくは蒸着やスパッタ等の方法を用いて表面平滑性を向上させる加工を施してもよい。
【００７８】
ここで、微細印刷線３は複数の圧力発光微細印刷線４と圧力無発光微細印刷線５から構成させるため、微細印刷線３を印刷するための凹部は、本実施形態では、線状に延在する複数の溝で構成される。そして、上述の溝からなる凹部に対し、インキが充填されると共に、ドクターブレードによって不要なインキが掻き取られる。凹部に充填されるインキ１４は、圧力発光および圧力無発光の特性を持ったインキ若しくは、これらインキに粒子を添加したものを用いることができる。
本実施形態では、印刷版毎に、いずれかの発色に相当するインキを凹部に充填する。
【００７９】
本実施形態における印刷基材２は、その片面もしくは両面に、印刷によって微細印刷線３を含む印刷層が形成される。印刷層は、基材上面の全面である必要はない。又、本発明に係る印刷図柄以外の印刷が形成されてもよい。
【００８０】
次に、印刷方法について説明する。
ここで、微細印刷線３が複数色で構成される場合には、印刷する色毎に個別に印刷版を用意して、順番に色毎の印刷版を使用した凹版印刷を行う。なお、印刷版１２は、印刷する色毎に用意するほか、多層塗りを行う場合にも、その積層分の印刷版を用意して、順番に凹版印刷を行う。
各印刷版１２毎に凹部を形成する溝の深さや幅を変更してもよい。又、一つの印刷版に形成する複数の溝の一部の溝の幅や深さを他の溝の幅や深さと異なるように設計してもよい。
【００８１】
以下の説明では、一つの印刷版による一回分の凹版印刷について説明する。
【００８２】
まず印刷版１２を、例えばインキ溜め（不図示）においてインキに浸漬し、続けてドクターブレード２２により、印刷版１２の凹部にインキを導くとともに、印刷版１２の表面から溢れ出た余分なインキを取り去ることで、印刷版１２の凹部にインキを充填する。この際、ドクターブレード２２の剪断応力によるインキの粘度変化に応じて、ドクターブレードの速度は５〜１０００ｍｍ／ｓｅｃの範囲内で任意に設定することが望ましい。
【００８３】
次に、図８中、右端から左側方向に向けての台車（不図示）の移動およびブランケット胴１３の軸回転によって、ブランケット１１の印刷面が、印刷板固定用定盤１５上に載置された印刷版１２に充填されたインキ１４に連続的に接触する。これによって、ブランケット１１の印刷面にインキ１４が転写される。ブランケット１１への転写速度は、例えば１５０ｍｍ／ｓで行うことができる。
このとき、ブランケット１１の印刷面を、インキ１４内の溶剤を吸収可能な吸収性を有する材料から構成することで、ブランケット１１の印刷面に形成されたインキ１４の濡れ広がりが生じ易い。その後、台車の移動により、インキ１４が転写されたブランケット１１は、印刷基材２の設置位置まで移動される。
【００８４】
続けて、図８に示すように、台車の移動およびブランケット胴１３の軸回転により、ブランケット１１上に転写されたインキ１４は、基材固定用定盤１６上に載置された印刷基材２の印刷面に転写される。すなわち、回転するブランケット１１が印刷基材２に押し付けられてインキ１４の転写が行われる。ブランケット１１の印刷面の回転速度は、台車の移動速度と同期をとった速度に設定されている。
なお、印刷基材２への転写速度は、例えば１００ｍｍ／ｓで行うことができる。転写されずにブランケット１１の印刷面に残ったインキ１４の部分は、例えば、不図示のクリーニングローラーで除去される。
【００８５】
本実施形態では、転写の際に台車を移動させる場合を例示しているが、ブランケット胴１３と印刷版固定用定盤１５との相対位置、ブランケット胴１３と基材固定用定盤１６との相対位置の変化を実現できる限り、印刷版固定用定盤１５、基材固定用定盤１６を移動させてもよく、台車、印刷版固定用定盤１５、および基材固定用定盤１６の３つをそれぞれ移動させてもよい。
【００８６】
その後、印刷基材２上に転写されたインキ１４は硬化処理を施すことによって硬化され
る。この硬化処理は、例えば、焼成、加熱、酸化硬化、電離放射線硬化、冷却（熱可塑性材料を含む導電性インキを用いる場合）など、使用するインキの種類及び成分に応じた各種の手段によって実行することができる。加熱による場合には、例えば、フラッシュキセノンランプを用いることができる。
【００８７】
これらの何れか１つまたは１つ以上を組み合わせて用いて硬化させることにより、印刷物１が得られる。なお、ブランケット１１の膨潤量が所定の基準値に達すると、印刷待機時にブランケット１１に吸収された溶剤が乾燥させられる機能を印刷装置に備えてもよい。ブランケット１１の印刷面の材質、使用するインキの種類及びインキ内の溶剤の種類は、上述した例以外の各種のものを選択することができる。
ブランケット１１は、円筒形のブランケット胴１３に固定して使用したが、インキ転写時のブランケットの印刷面形状は、円筒形以外の曲面や平面であってもよい。印刷基材２はシート状のほか樹脂成形品などのように、印刷面が曲面であるものであってもよい。
【００８８】
複数の凹版印刷を使用する場合には、凹版のアライメントを合わせ、上記印刷処理を繰り返せば良い。アライメントマーク形状は、円や十字、放射線形状でもよく、カメラによる画像認識時に上下左右の合わせ位置が明確に示されているものを利用することができる。アライメントマークは、印刷物の領域外に設置されており、少なくとも印刷物に対して対角の２点以上存在することが望ましい。
【００８９】
アライメント精度は、±１０μｍ以上あることが望ましいが、更に望ましくは５μｍ以上あることが望ましい。アライメント精度が、上記の範囲を逸脱した場合には、線が重なってしまい、設定した色とは異なる色を示すことや、圧力の有無により圧力発光微細印刷線が発光しても正面から視認できないなどの問題を生じる可能性がある。
このように、アライメントを合わせて印刷することで、複数の凹版を用いて予め設定した特定の配線パターンを印刷することが可能となる。
【００９０】
本実施形態における印刷版１２は、図９に示す印刷版母材１７の表面を切削加工することにより形成される。本実施形態の印刷版１２の凹部は、目的の微細印刷線３の印刷領域形状及び印刷の配線パターンに応じた複数の線状の溝により形成される。
従来では、網点に応じたドットに対応した凹部形状の集合によって形成されているが、本実施形態では、微細印刷線３を構成する線に応じた線状の溝によって、微細印刷線３の凹部が形成されている。
【００９１】
図９において、印刷版母材１７は、例えば、アルミニウム、ニッケル、鉄のいずれかからなる円筒体１８の表面に、内径側から外径側に向けて順に、銅めっき層１９、剥離層２０及び銅バラード層２１を同心状に積層して形成されている。
溝形成に際しては、印刷版母材１７を円の中心を軸として回転させ、外表面を形成する銅バラード層２１に向けて径方向に切削刃を作用させて切削を実施することで、線状の溝からなる複数の凹部が形成される。
【００９２】
切削の深さは、例えば２０μｍとすることができる。溝からなる凹部は、印刷版母材１７の周方向に延在していてもよく、また、螺旋方向に延在していてもよい。切削による凹部形成（切り込み移動）と、印刷版母材１７と切削刃との回転軸に沿った相対移動（送り移動）とを交互に行うことで、溝からなる凹部を周方向に延在させることができる。
また、切り込み移動と送り移動とを同時かつ連続的に行うことで、凹部を螺旋方向に延在させることができる。軸に向かう切削刃の切り込み深さを無段階又は複数段階で変化させることで、凹部の幅を変化させることも可能である。印刷する微細印刷線が蛇行して延在する場合には、溝も蛇行するように形成する。
【００９３】
凹部の幅や深さは、目的の配線パターン及びインキで形成する各微細印刷線の盛り上がり量（高さ）に応じた値に設定する。これによって、この印刷版を用いて印刷基材２上にインキを転写した際に、印刷基材２上に転写される線状のインキ線幅や高さが、目的とする配線パターン及びインキで形成する各微細印刷線の盛り上がり量（高さ）となった印刷物１を得ることが可能となる。
これによって、単位体積当りのインキ面積が変化したり、同一インキ面積であっても各微細印刷線の幅が異なったりすることで、印刷物１の色の濃淡を表現することが可能となる。
【００９４】
本実施形態では、凹部の形成は切削刃を用いて行われる。切削刃は、単一のノーズ部と、これを挟む２つの斜行部を有し、斜行部は、切削刃の切り込み方向と非平行かつ非垂直に延在する。切削刃は、ノーズ部に隣接する少なくとも１つの斜行部を有するのが好適である。本実施形態における印刷版１２の製造に用いられる切削刃は、単一のノーズ部と、これを挟む２つの斜行部とを有する。２つの斜行部の延在方向は、切削刃の切り込み方向に対して互いに異なっており、一方の斜行部が切り込み方向に対してなす角度は任意に選択することが可能である。
【００９５】
このような切削工程の後、耐磨耗性を高めるために、銅バラード層２１の表面の全体に、クロムめっき層（不図示）が形成される。また、クロムめっき層の上に蒸着によりＤＬＣ（ダイヤモンドライクカーボン）を形成（不図示）することにより、表面の平滑性を向上させる。そして、剥離層２０から銅バラード層２１を剥離することにより、図８に示されるような凹部を有する平板の印刷版１２が得られる。
【００９６】
本実施形態における印刷版凹部の形状は、深さ方向に対して線対称であっても非対称であってもよく、少なくとも１つ以上の形状を組み合わせた形でもよい。
【００９７】
本実施形態では、切削刃を用いて印刷版を製作したが、例えばダイシングソーやレーザー、マシニングセンタによる切削にて製作してもよい。また、多段エッチング法や多段めっき法により印刷版を製作してもよい。また、本実施形態では、金属部材を版として用いたが、石英や、石英や金属から樹脂転写したものを印刷版として用いてもよい。
【００９８】
本実施形態に係る印刷版１２を含む印刷装置によって基材上に転写されたインキの厚みは、１層当り５μｍ以下であり、インキ単層で印刷物１としてもよい。また、印刷基材２上に転写されたインキ上に再度同じ加工を施し、同一若しくは異なるインキを積層してもよい。また、アライメント機能を用いて、基材上に転写されたインキと任意の間隔で同一若しくは異なるインキを単層若しくは多層で転写してもよい。
【００９９】
本実施形態に係る印刷版１２を含む印刷装置１０によって基材上に転写されたインキを、硬化若しくは焼成することによって、印刷基材２上に微細印刷線３が形成された印刷物１が得られる。
【０１００】
（その他の製造方法）
なお、本発明は、実施形態に示された態様のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【０１０１】
例えば、上述した実施形態では、平板の印刷版を用いて転写を行っていたが、これに限らず、円筒形状の印刷版を用いて転写を行ってもよい。また、上述した実施形態のうち切削刃を用いるものでは、単一のノーズ部を有する切削刃によって切削を行ったが、複数の
ノーズ部を有する異形切削刃によって切削を行っても良い。
【０１０２】
また、例えば、上述した実施形態では、ブランケット１１を介して印刷基材２にインキを転写していたが、これに限らず、印刷版から直接印刷基材２にインキを転写してもよい。また、例えば、上述した実施形態では、インキの印刷パターンが印刷基材２の上に形成されていることとしたが、これに限らず、当該印刷パターンが印刷基材２の上に形成された後に、印刷基材２が除去されて、印刷パターンのみによりその形状を保持する態様としてもよい。
【実施例】
【０１０３】
以下に示す実施例を用いて本発明をさらに具体的に説明するが、本発明を限定するものではない。実施例として、図４に示した構成の印刷物１を作製した。
【０１０４】
まず、２５μｍの厚さを有した透明のポリエチレンテレフタレート（ＰＥＴ）フィルムを基材とした。基材の一方の面をＡ面、他の面をＢ面とし、そのＡ面に、圧力発光インキとして、酸化チタンとメカノクロミック材であるアルミ酸ストロンチウム結晶にユーロピウムをドープした顔料を混合した白色インキを用いて、画線幅を２０μｍ、線の間隙を５μｍとして、等ピッチで圧力発光微細印刷線４にて第１画像を形成した。
【０１０５】
圧力発光インキの上面に、圧力無発光インキとして酸化チタン顔料を用いた白色インキを用いて、画線幅を２０μｍとして、圧力無発光微細印刷線５にて第２画像を形成した。
【０１０６】
この印刷物１を、Ａ面とＢ面からそれぞれ１８８μｍのＰＥＴフィルムで挟みこみ、２ｋｇｆ／ｃｍ２の圧力で加圧し、Ａ面から視認すると、圧力発光インキが発光し、圧力無発光インキが暗く浮かび上がる形で第２画像が視認することができた。
なお、上記ＰＥＴフィルムで加圧していない状態では、圧力発光インキと圧力無発光インキとが共に白色であるため、Ａ面から視認すると、第１画像が視認された。
【０１０７】
以上、本発明に係る実施例に基づいて実施の形態を説明したが、上記実施例に限定されることなく特許請求の範囲記載の技術思想の範囲内で、さらにいろいろな実施例があることはいうまでもない。 
【符号の説明】
【０１０８】
１：印刷物
２：印刷基材
３：微細印刷線
４：圧力発光微細印刷線
５：圧力無発光微細印刷線
６：粘着剤
７：加圧用透明材
８：加圧用透明材
１０：印刷装置
１１：ブランケット
１２：印刷版
１３：ブランケット胴
１４：インキ
１５：印刷版固定用定盤
１６：基材固定用定盤
１７：印刷版母材
１８：円筒体
１９：銅めっき層
２０：剥離層
２１：銅バラード層
２２：ドクターブレード
Ａ面：印刷面
Ｂ面：基材面
Ｃ：断面部位
【図１】
2020168773.tif 000003
【図２】
2020168773.tif 000004
【図３】
2020168773.tif 000005
【図４】
2020168773.tif 000006
【図５】
2020168773.tif 000007
【図６】
2020168773.tif 000008
【図７】
2020168773.tif 000009
【図８】
2020168773.tif 000010
【図９】
2020168773.tif 000011